(57)【要約】  本発明は、計時器の可動部のスタッフ用の緩衝ベアリング（１００）であって、当該ベアリングは、前記スタッフと連係するように構成したピボットモジュール（４００）を受けるように形成されたハウジング（２０６）が設けられた支持体（２００）を有し、当該ベアリングは、前記ピボットモジュールをそのハウジング（２０６）内に保持するように前記ピボットモジュールに対して少なくとも１つの軸方向の力を及ぼすように構成した弾性手段（３００）を有するものである。【選択図】  図６
2015520390.tif 000002
【特許請求の範囲】
【請求項１】
計時器の可動部のスタッフ用の緩衝ベアリング（１００）であって、
当該ベアリングは、前記スタッフと連係するように構成したピボットモジュール（４００）を受けるように形成されたハウジング（２０６）が設けられた支持体（２００）を有し、
当該ベアリングは、前記ピボットモジュールを前記ハウジング（２０６）内に保持するように前記ピボットモジュールに対して少なくとも１つの軸方向の力を及ぼすように構成された弾性手段（３００）を有し、
前記弾性手段（３００）は、環状のばね（３０１）を有し、前記弾性手段と前記支持体の間の結合材によって前記支持体に恒久的に固定され、
前記環状のばね（３０１）は、この環状のばねを前記支持体に固定するための少なくとも２つの特定の取り付け領域（３０４）を有する
ことを特徴とする緩衝ベアリング。
【請求項２】
前記支持体（２００）、前記ハウジング（２０６）、前記ピボットモジュール（４００）及び前記弾性手段（３００）は、それぞれ互いに対して角度的な向き合わせの自由を有するように定められた幾何学的構成を有する
ことを特徴とする請求項１に記載の緩衝ベアリング。
【請求項３】
前記弾性手段（３００）は、溶接またははんだ付けによって前記支持体上に固定されている
ことを特徴とする請求項１に記載の緩衝ベアリング。
【請求項４】
前記弾性手段（３００）は、環状のばね（３０１）を有し、当該環状のばねは、その中心軸の方に延在する少なくとも１つの半径方向内側に延在する部分（３０２）を有する
ことを特徴とする請求項１〜３のいずれか一項に記載の緩衝ベアリング。
【請求項５】
前記環状のばね（３０１）は、少なくとも２つの半径方向外側に延在する部分（３０４ａ）を有し、これらは前記環状のばねの外側に延在し、特定の取り付け領域（３０４）として機能する
ことを特徴とする請求項１〜４のいずれか一項に記載の緩衝ベアリング。
【請求項６】
前記環状のばねは、３つの半径方向外側に延在する部分（３０４ａ）及び３つの半径方向内側に延在する部分（３０２）を有する
ことを特徴とする請求項４又は５に記載の緩衝ベアリング。
【請求項７】
底板（２０００）及び少なくとも１つのブリッジ（２０００）を有する計時器用ムーブメントであって、
前記底板は、開口を有し、この底板の開口の中に、請求項１〜６のいずれか一項に記載の緩衝ベアリング（１００）が挿入されている
ことを特徴とする計時器用ムーブメント。
【請求項８】
底板及び少なくとも１つのブリッジを有する計時器用ムーブメントであって、
前記少なくとも１つのブリッジは開口を有し、この少なくとも１つのブリッジの開口に、請求項１〜６のいずれか一項に記載の緩衝ベアリング（１００）が挿入されている
ことを特徴とする計時器用ムーブメント。
【請求項９】
前記緩衝ベアリング（１００）の前記支持体（２００）及び前記底板どうしはモノブロックである
ことを特徴とする請求項７に記載の計時器用ムーブメント。
【請求項１０】
前記緩衝ベアリング（１００）の前記支持体（２００）及び前記少なくとも１つのブリッジどうしはモノブロックである
ことを特徴とする請求項８に記載の計時器用ムーブメント。
【請求項１１】
ケース及びベースによって閉じられた幅を有する計時器であって、
当該計時器は、請求項７〜１０のいずれか一項に記載の計時器用ムーブメントを有する
ことを特徴とする計時器。
【発明の詳細な説明】
【技術分野】
【０００１】
本発明は、計時器の可動部のスタッフ用の耐衝撃ベアリングに関する。このスタッフは支持体を有する小型ロッドを有し、支持体には、小型ロッドが挿入されるピボットシステムを受けるように意図されたハウジングが設けられている。この耐衝撃ベアリングは、さらに、ピボットシステムをハウジング内に保持するために、ピボットシステムに少なくとも１つの軸方向の力を及ぼすように構成した弾性手段を有する。
【０００２】
本発明の技術分野は、精密工学の技術分野である。
【背景技術】
【０００３】
本発明は、計時器用のベアリングに関し、特に、衝撃を吸収することができる種類のものに関する。機械的腕時計の製造者は、長い期間にわたって、横断するベースブロックの穴の壁に当接することによって、衝撃、特に横方向の衝撃に起因するエネルギーをスタッフが吸収することを可能にしつつ、ばねの作用の下でロック位置に戻る前に小型ロッドの瞬間的な変位を可能にするような多数のデバイスを設計してきている。
【０００４】
図１及び図２は、現在市場で存在する計時器において使用される逆ダブルコーンと名前が付けられたデバイスを示している。
【０００５】
支持体１であって、そのベースが端が小型ロッド３ａとなっているバランススタッフ３を通す穴２を有するものによって、小型ロッド３ａ及び反ピボット石５によって横断される穴が開けられた石４が中で動けなくされた装飾されたベアリング２０を位置合わせすることが可能になる。装飾されたベアリング２０は、ばね１０によって支持体１のハウジング６に保持される。このばね１０は、この例において、反ピボット石５を押す半径方向に延在する部分９を有する。ハウジング６は、逆円錐型の形をしている２つの支え面７及び７ａを有し、この上で、装飾されたベアリング２０の相補的な支え面８、８ａが支持され、これらの支え面は非常に高い精度で作る必要がある。軸方向への衝撃の場合には、穴が開けられた石４、反ピボット石５及びバランススタッフは変位し、バランススタッフ３をその初期位置に戻すようにばね１０は単独ではたらく。ばね１０は、変位限界を有するような寸法構成を有する。これによって、この限界を超えると、バランススタッフ３は、止め１４と接触し、スタッフ３が衝撃を吸収することを可能にする。このことは、スタッフ３の小型ロッド３ａでは、破損のリスクなしでは達成することができない。横方向の衝撃の場合、すなわち、小型ロッドの端が装飾されたベアリング２０をロック平面からバランスを失わせる場合、ばね１０は相補的な斜面７、７ａ；８、８ａと連係する。これによって、装飾されたベアリング２０を再びセンタリングする。例えば、このようなベアリングは、商標Incablocを使用して販売されている。これらのばねは、クロムコバルト合金又は黄銅で作ることができ、伝統的な切断手段によって製造される。
【０００６】
ここで、これらの緩衝システムの課題は、分解不能であることである。実際に、これらの緩衝ベアリングは、販売後メンテナンス時のサービス作業のために分解できるように意図されている。したがって、組み立てが容易でないような緩衝ベアリングをもたらす。有効に、支持体１及びばね１０のようないくつかの部品は、緩衝ベアリングを組み立てるために、組み立て作業時に特定の手法で向きを合わせて操作しなければならない。結果的に、緩衝ベアリングの構成部品が複雑であるだけではなく、組み立ての完全な自動化が不能となり、緩衝ベアリングを高価なものにしてしまう。
【発明の概要】
【発明が解決しようとする課題】
【０００７】
本発明の目的は、取り付けが単純な計時器の分解不能な緩衝ベアリングを提供することを提案することによって従来技術の課題に対処することである。
【課題を解決するための手段】
【０００８】
このために、本発明は、計時器の可動部のスタッフ用の緩衝ベアリングであって、当該ベアリングは、前記スタッフと連係するように構成するピボットモジュールを受けるように形成されたハウジングが設けられた支持体を有し、当該ベアリングは、さらに、前記ピボットモジュールをそのハウジング内に保持するように前記ピボットモジュールに対して少なくとも１つの軸方向の力を及ぼすように構成する弾性手段を有し、前記弾性手段は、環状のばねを有し、前記弾性手段と前記支持体の間の結合材によって前記支持体に恒久的に固定され、前記環状のばねは、前記環状のばねを前記支持体に固定するための少なくとも２つの特定の取り付け領域を有するものである。
【０００９】
本発明の第１の利点は、製造及び組み立てのために単純である分解不能な耐衝撃システムを有することが可能になるということである。実際に、本発明は、特定の手法で操作することを必要とせずに、重ね合わされる部品を有するという利点を有する。このようにして、組み立て工程を自動化することができる。部品と組み立て工程が単純であることによって、低コストな緩衝装置を有することが可能になる。
【００１０】
第１の好ましい実施形態において、前記弾性手段は、溶接／はんだによって前記支持体上に固定される。
【００１１】
第２の好ましい実施形態において、前記弾性手段は、接着剤によって前記支持体上に固定される。
【００１２】
前記弾性手段（３００）は、環状のばねを有し、当該環状のばねは、その中心軸の方に延在する少なくとも１つの半径方向内側に延在する部分を有する。
【００１３】
別の好ましい一実施形態において、前記環状のばねは、少なくとも２つの半径方向外側に延在する部分を有し、これらは前記環状のばねの外側に延在し、特定の取り付け領域として機能する。
【００１４】
別の好ましい一実施形態において、前記環状のばねは、３つの半径方向外側に延在する部分及び３つの半径方向内側に延在する部分を有する。
【００１５】
本発明は、同様に、底板及び少なくとも１つのブリッジを有する計時器用ムーブメントであって、前記底板は、開口を有するものである。この底板の開口の中に、本発明に係る緩衝ベアリングが挿入されている。
【００１６】
本発明は、同様に、底板及び少なくとも１つのブリッジを有する計時器用ムーブメントであって、前記少なくとも１つのブリッジは開口を有するものである。この少なくとも１つのブリッジの開口に、本発明に係る緩衝ベアリングが挿入されている。
【００１７】
好ましい一実施形態において、前記緩衝ベアリングの前記支持体及び前記底板どうしはモノブロックである。
【００１８】
好ましい一実施形態において、前記緩衝ベアリングの前記支持体及び前記少なくとも１つのブリッジどうしはモノブロックである。
【００１９】
本発明は、同様に、ケース及びベースによって閉じられた幅を有する計時器に関する。当該計時器は、本発明に係る計時器用ムーブメントを有する。
【００２０】
添付図面に図示された本発明の少なくとも１つの実施形態（これらに限定されない）の以下の詳細な説明を読むことによって、本発明に係る緩衝ベアリングの目的、利点及び特徴をより明確に理解できるであろう。
【図面の簡単な説明】
【００２１】
【図１】既に前記で引用しており、従来技術に係る計時器の緩衝システムを概略的に表す斜視図である。
【図２】図１と同様の断面図である。
【図３】本発明に係る計時器の緩衝システムを概略的に表す断面図である。
【図４】本発明に係る計時器の緩衝システム用のばねを上から見た概略図である。
【図５】本発明に係る計時器の緩衝システム用のばねの好ましい実施形態の様々な図の概略図である。
【図６】図５と同様の斜視図である。
【図７】本発明に係る計時器の緩衝システムのピボットモジュールの様々な変種の概略図である。
【図８】図７と同様の断面図である。
【図９】図７と同様の断面図である。
【図１０】本発明に係る計時器の緩衝システムのモノブロック変種の概略図である。
【発明を実施するための形態】
【００２２】
本発明は、単純な分解不能な緩衝システムを作ることに伴う大きな創造性のあるアイデアから発生したものである。この緩衝システムは、計時器用ムーブメントの底板及び／又は少なくとも１つのブリッジに取り付けられるように設計されている。この計時器用ムーブメントは、ベースと表蓋によって閉じられる幅を有する計時器の中に配置される。
【００２３】
図３において、耐衝撃システム１００とも呼ばれる緩衝ベアリングを示す。この緩衝ベアリング１００は、支持体２００を有する。この支持体２００は、ベース２０１の形状を有し、穴２０２が設けられており、これから周縁リム２０３が延在している。後者は、外部フランク２０４及び内部フランク２０５を有する。このリム２０３によって、ハウジング２０６を形成することができ、そこにピボットモジュール４００が挿入される。この標準的なピボットモジュール４００は、装飾されたベアリング４０１、すなわち、円形の中央開口、外部壁及び内部壁を有する部品を有する。この内壁に、穴が開いた石４０２が挿入され、その直径は中央開口の直径に対応するものである。内部壁は、反ピボット石４０３を固定できるように肩部を有する。ピボットモジュール４００は支持体２００のハウジング２０６に配置され、スタッフの小型ロッドと連係する。好ましくは、支持体２００、ハウジング２０６及びピボットモジュール４００は、円形である。
【００２４】
緩衝ベアリング１００は、さらに、ピボットモジュール４００と連係するように設計された弾性手段３００を有し、これによって、衝撃を吸収し、衝撃に関連づけられた応力が弱まったときに、ピボットモジュール４００をロック位置に戻す。
【００２５】
好ましいことに、本発明によると、弾性手段３００は、支持体２００と一体化されるように固定される。これによって、支持体２００に固定されると、弾性手段３００は、支持体と分離して一体化されていない状態にすることはできないことを理解することができるであろう。すなわち弾性手段３００は、支持体２００に恒久的に固定される。したがって、支持体２００への弾性手段３００の固定は確実である。このために、弾性手段３００は、溶接又ははんだ付け又は接着剤によって支持体２００上に固定される。したがって、結合材が弾性手段３００と支持体２００の間に存在する。この結合材による接合は、接着剤、はんだ付け又は溶接で行うことができる。弾性手段３００は、ピボットモジュール４００をハウジング２０６内に保持する支持体に配置されたカバーを形成し、このようにして、耐衝撃システム１００は、分解不能となる。
【００２６】
支持体２００へのこの固定は、リム２０３の高さで行われる。リム２０３は、その端２０７において、弾性手段３００を上で固定することができる支持表面としてはたらく表面２０７ａを有する。支持体２００の外部フランク２０４は、同様に、弾性手段３００を上に固定する表面としてはたらくことができる。
【００２７】
このような特徴の利点は、緩衝ベアリング１００を単純化することができるということである。なぜなら、分解可能であることに伴う制約がなくなり、形をより単純にすることができるからである。
【００２８】
耐衝撃システム１００の組み立て時に、軸方向の取り付けが行われる。したがって、第１のステップは、支持体２００を用意することを伴う。その後、ピボットモジュール４００が用意され、これは、支持体のハウジング２０６内に配置される。その後、弾性手段３００が配置され固定される。支持表面２０７ａとしてはたらく支持体２００の端２０７に弾性手段３００が固定される場合には、弾性手段３００は、支持体２００上に単に配置される。その後、前記弾性手段３００を固定するために、接着剤又はスポット溶接が適用される。
【００２９】
弾性手段の一実施形態において、弾性手段３００は、環状のばね３０１の形を有する。この環状のばねは、平坦な種類のものであり、金属性細長片から形成され、すなわち、これは、厚みよりも大きな幅を有する。支持体２００のハウジング２０６内に前記ピボットモジュール４００を配置するために、環状のばね３０１は半径方向内側に延在する部分３０２を有する。これらの半径方向内側に延在する部分３０２は、リング３０１の内部の方へ曲げられるリング３０１を形成する細長片で形成されている。これらの半径方向内側に延在する部分３０１は、好ましくは、平坦なリング３０１にわたって規則的に分布する。これによって、図４に示すように、環状のばね３０１は均質的に作用することができる。支持体２００への環状のばね３０１の固定は、半径方向内側に延在する部分３０２間に位置する円形部分３０３の高さで行われる。環状のばね３０１は、黄銅のような金属性材料、又は計時器アプリケーションにおいて使用することができる他の材料で作ることができる。
【００３０】
第１の好ましい変種において、図５及び図６に示すように、環状のばね３０１は、特定の取り付け領域３０４を有する。実際に、図４に示す環状のばね３０１の場合には、円形部分３０３による支持体２００への固定は、環状のばね３０１の性質の改質を伴うことができる。
【００３１】
ここで、特定の取り付け領域３０４は、溶接又は接着剤による固定の前記環状のばね３０１の特性に対しての影響を制限するように設計された領域である。これらの領域は、リング３０１の外部の方へ延在する半径方向外側に延在する部分３０４ａの形を有する。したがって、これらの特定の取り付け領域３０４が、リング３０１の外部の方へ曲げられるリング３０１を形成する細長片によって形成されることは理解することができるであろう。好ましくは、半径方向外側に延在する部分３０４ａの曲がりは、半径方向内側に延在する部分３０２のものほど大きくない。これによって、半径方向外側に延在する部分３０４ａの端と、リング３０１を形成する細長片との間の距離が、半径方向内側に延在する部分３０２の端とリング３０１を形成する前記細長片の端との間の距離よりも大きいことが理解することができるであろう。この変種による環状のばね３０１は、支持体２００への前記リング３０１の固定時に、半径方向外側に延在する部分３０４ａによって形成された特定の取り付け領域３０４のみが支持体２００に接し、これによって固定が可能になるように、有利に寸法構成が定められる。この構成によって、軸方向応力がスタッフによってピボットモジュール４００に対して与えられた場合に、これらの特定の取り付け領域３０４以外の領域を自由に変形させることが可能になる。
【００３２】
好ましくは、環状のばね３０１は、３つの半径方向内側に延在する部分３０２と、３つの特定の取り付け領域３０４、すなわち、３つの半径方向外側に延在する部分３０４ａを有するように形成されている。３つの半径方向内側に延在する部分３０２は、互いに１２０°ずれているように形成されている。３つの半径方向外側に延在する部分３０４ａは、互いに１２０°ずれているように形成されている。半径方向外側に延在する部分３０４ａ及び半径方向内側に延在する部分３０２は、半径方向外側に延在する部分３０４ａ及び半径方向内側に延在する部分３０２が交互になっていて６０°それぞれが互いにずれているように作られている。なお、１つの半径方向内側に延在する部分３０２は、２つの半径方向外側に延在する部分３０４ａの間に位置している。
【００３３】
緩衝ベアリング１００の利点は、いずれの特定の向きがないことである。実際に、前記耐衝撃システム１００のすべての構成部品は円形であるので、互いに対して向きを合わせる必要はない。支持体２００には、環状のばね３０１を固定する必要がある特定の領域はない。このようにして、このような緩衝システム１００の組み立て工程を完全に自動化することができる。
【００３４】
第２の変種において、内部フランク２０５は、斜面部分を有し、これによって、ピボットモジュール４００のセンタリングが改善する。実際に、軸方向の衝撃を受けた際、スタッフはピボットモジュール４００に軸方向の力を及ぼす。これによって、後者は、弾性手段３００を変形させる。これらの弾性手段３００は、ピボットモジュール４００が応力を受けなくなった場合に弾性手段３００がロック位置に戻りピボットモジュール４００をハウジング２０６内に位置するように、ピボットモジュール４００を保持する。ここで、ピボットモジュール４００がスタッフによってハウジング２０６から持ち上げられる場合、ピボットモジュール４００が、重力のような力の影響の下でずれて半径方向に変位する可能性がある。この場合、ピボットモジュール４００がハウジング２０６内の位置に戻ると、ピボットモジュール４００が内部フランク２０５の斜面部分と接触する。この斜面部分２０５は、ピボットモジュール４００が完全に中心合わせされるように、ピボットモジュール４００を初期位置、すなわち、ロック位置へとガイドする。
【００３５】
第３の変種では、ピボットモジュール４００はモノブロック形状を有する。
【００３６】
図７に示す第１の代替構成において、ピボットモジュール４００は、単一の石４１０を有する。この単一の石４１０は、半径に対して小さな高さを有する円筒状の形状を有する。この単一の石４１０は、中心軸方向の高さにおいて、スタッフの小型ロッドを中に挿入することができる凹んだ穴４１１を有する。単一の石４１０を備えたこの構成は、ピボットモジュール４００を小さく単純化することを可能にする。なぜなら、３つの部品のみからなる緩衝システム１００を有することが可能になるからである。すなわち、支持体２００、単一の石４１０及び環状のばね３０１である。結果的に、支持体２００の寸法構成を小さくすることができる。
【００３７】
図８に示す第２の代替構成において、穴が開けられた石４３０及び反ピボット石４２０どうしが、装飾されたベアリングの仲介なしで固定される。このために、反ピボット石４２０は、装飾されたベアリングとしてはたらく。その後、反ピボット石４２０には、穴が開けられた石４３０が中に配置されるハウジング４２２を定める周縁リム４２１が設けられる。この代替構成によって、単純化されたピボットモジュール４００にもかかわらず、装飾されたベアリングを備えたピボットモジュール４００の寸法構成と同様な寸法構成を有することが可能になる。したがって、この代替構成に適応する場合は、支持体の寸法は変わらない。
【００３８】
図９に示す別の代替構成において、穴が開けられた石４５０及び反ピボット石４４０どうしはモノブロックである。ピボットモジュール４００は、穴が開けられた石４５０及び反ピボット石４４０どうしを固定する代わりにそれらが取り付け要素４４５の傾斜を介して直接一体化されていることを除いて、第２の代替構成のピボットモジュールと同様である。利点は、穴が開けられた石及び反ピボット石が中に配置された装飾されたベアリングを有する標準的なピボットモジュールのものに標準寸法を維持しつつ、単一の部品となっていることで発生する。
【００３９】
図１０に示す別の変種において、支持体は、緩衝ベアリングが固定される箇所とモノブロックである。実際に、緩衝ベアリングは、ブリッジ、又は計時器用ムーブメントの底の箇所の高さにおいて設けられるように形成されている。この計時器用ムーブメントは、底板又はブリッジ上で設けられた横断する開口を有する。これらの開口内に、耐衝撃システム１００が挿入され、各開口は、支持体２００がそこで滑ることができるような寸法構成を有する。
【００４０】
組み立てステップを行うためには、支持体は、一又は複数のブリッジ及び底板上に直接作って緩衝アセンブリ１０００を形成する。底板及び／又はブリッジは、支持体２０００を形成し、穴２００２を有するベース２００１を残すように機械加工される。支持体２０００は、ピボットモジュール４００が中に配置されるハウジング２００６を有する。環状のばね３００は、支持体２０００の上面に固定される。この変種は、同様に、部品を１つ少なくすることを可能にする。支持体２００が存在しないからである。
【００４１】
なお、添付した請求の範囲によって定められる本発明の範囲から逸脱せずに、上で説明した本発明の様々な実施形態に対して当業者にとって明らかな様々な変更及び／又は改善及び／又は組み合わせを行うことができることを理解することができるであろう。
【図１】
2015520390.tif 000003
【図２】
2015520390.tif 000004
【図３】
2015520390.tif 000005
【図４】
2015520390.tif 000006
【図５】
2015520390.tif 000007
【図６】
2015520390.tif 000008
【図７】
2015520390.tif 000009
【図８】
2015520390.tif 000010
【図９】
2015520390.tif 000011
【図１０】
2015520390.tif 000012
【国際調査報告】
2015520390.tif 000013
2015520390.tif 000014
2015520390.tif 000015
2015520390.tif 000016
2015520390.tif 000017
2015520390.tif 000018